(57)【要約】【課題】先端が屈曲したガイドワイヤをカテーテルのハブの基端開口部から挿入する際に、ガイドワイヤの先端部をカテーテルのシャフトの内腔へとスムーズに挿入することができるカテーテルハブを提供する。【解決手段】カテーテルハブ１４は、シャフト１２の基端を保持するシャフト保持部２８と、シャフト保持部２８の基端側に設けられ、シャフト１２の内腔と連通するハブ内腔２４を形成するハブ内腔形成部３４とを備える。ハブ内腔形成部３４は、カテーテルハブ１４の軸線ａ方向の少なくとも一部において、先端方向に向かって内径が減少し且つカテーテルハブ１４の軸線ａに対して傾斜した軸線ｂを有する非対称ガイド部３８を有する。【選択図】図２
2014128353.tif 000002
【特許請求の範囲】
【請求項１】
シャフトの基端を保持するシャフト保持部と、
前記シャフト保持部の基端側に設けられ、前記シャフトの内腔と連通するハブ内腔を形成するハブ内腔形成部と、
を備えたカテーテルハブであって、
前記ハブ内腔形成部は、前記カテーテルハブの軸線方向の少なくとも一部において、先端方向に向かって内径が減少し且つ前記カテーテルハブの軸線に対して傾斜した軸線を有する非対称ガイド部を有する、
ことを特徴とするカテーテルハブ。
【請求項２】
請求項１記載のカテーテルハブにおいて、
前記非対称ガイド部は、
前記非対称ガイド部において周方向の一部を構成する第１ガイド部と、
前記カテーテルハブの前記軸線に対して前記第１ガイド部とは反対側の部分を構成し、前記カテーテルハブの前記軸線に対する傾斜角度が、前記第１ガイド部の前記カテーテルハブの前記軸線に対する傾斜角度よりも小さい第２ガイド部と、を有する、
ことを特徴とするカテーテルハブ。
【請求項３】
請求項１又は２記載のカテーテルハブにおいて、
前記ハブ内腔形成部は、前記カテーテルハブの基端開口部から軸線方向に所定範囲に亘って形成されたテーパを有し、
前記テーパの先端に連なって前記非対称ガイド部が形成される、
ことを特徴とするカテーテルハブ。
【請求項４】
請求項１又は２記載のカテーテルハブにおいて、
前記ハブ内腔形成部は、前記カテーテルハブの基端開口部から軸線方向に所定範囲に亘って形成されたテーパと、前記テーパよりも先端側に形成された中間テーパ部とを有し、
前記非対称ガイド部は、前記中間テーパ部を介して、前記テーパよりも先端側に設けられる、
ことを特徴とするカテーテルハブ。
【発明の詳細な説明】
【技術分野】
【０００１】
本発明は、カテーテルにおけるシャフトの基端に設けられるカテーテルハブに関する。
【背景技術】
【０００２】
従来、血管等の生体器官内にカテーテルを導入して生体器官内の病変部（例えば、狭窄部）を検査・処置することが広範に行われている。この種のカテーテルは、一般に、カテーテル本体を構成する長尺なシャフトと、当該シャフトの基端部に連結されたハブ（カテーテルハブ）とを有する（例えば、下記特許文献１を参照）。
【０００３】
このようなカテーテルの使用において、カテーテルの先端を生体内の目的部位まで到達させるには、体内の複雑に分岐した血管内や体腔内でシャフトを選択的に進行させる必要がある。このため、通常、カテーテルの内腔にガイドワイヤを挿通させ、カテーテルの先端に対して当該ガイドワイヤの先端を先行させた状態で、当該ガイドワイヤに沿って血管内や体腔内でカテーテルを走行させる。
【先行技術文献】
【特許文献】
【０００４】
【特許文献１】米国特許第６３５５０２７号明細書
【発明の概要】
【発明が解決しようとする課題】
【０００５】
ところで、ガイドワイヤは、血管の選択やカテーテル先端の方向制御を行うために、先端部の一箇所又は複数個所をあらかじめ折り曲げて（アングル付けして）使用される場合がある。このように先端部がアングル付けされたガイドワイヤをカテーテルのハブの基端開口部からカテーテルに挿入する際、ハブ内周面の一部にガイドワイヤの最先端部が接触するとともに、当該接触箇所とは反対側のハブ内周面にガイドワイヤの他部が接触しながら、ガイドワイヤがハブに対して前進する。この場合、従来のハブには、内径が先端方向に向かって一定割合で減少するテーパが設けられているため、先端側に行くほど内径が小さくなり、内径の縮小に伴ってガイドワイヤとハブ内周面との摩擦抵抗も大きくなる。このため、ガイドワイヤの移動がハブ内周面で阻止され、ガイドワイヤをそれ以上先端側に移動させることが困難となる場合がある。
【０００６】
本発明はこのような課題を考慮してなされたものであり、先端が屈曲したガイドワイヤをカテーテルハブの基端開口部から挿入する際に、カテーテルハブに対するガイドワイヤの先端部の移動抵抗を低減することにより、ガイドワイヤの先端をカテーテルのシャフトの内腔へとスムーズに挿入することができるカテーテルハブを提供することを目的とする。
【課題を解決するための手段】
【０００７】
上記の目的を達成するため、本発明は、カテーテルシャフトの基端を保持するシャフト保持部と、前記シャフト保持部の基端側に設けられ、前記シャフトの内腔と連通するハブ内腔を形成するハブ内腔形成部とを備えたカテーテルハブであって、前記ハブ内腔形成部は、前記カテーテルハブの軸線方向の少なくとも一部において、先端方向に向かって内径が減少し且つ前記カテーテルハブの軸線に対して傾斜した軸線を有する非対称ガイド部を有することを特徴とする。
【０００８】
上記の構成によれば、先端部を屈曲させたガイドワイヤをカテーテルハブの基端側から挿入する際、非対称ガイド部のうちカテーテルハブの軸線に対する傾斜角度が相対的に小さい部分に、ガイドワイヤの先端部（最先端部又は屈曲部）を接触させると、接触箇所でのガイドワイヤの先端部とハブ内周面との摩擦抵抗が抑制されるため、ガイドワイヤ先端部が先端方向に移動しやすくなる。従って、ガイドワイヤの移動がハブ内周面によって阻止されることがなく、ガイドワイヤをシャフト内へとスムーズに挿入することができる。
【０００９】
上記のカテーテルハブにおいて、前記非対称ガイド部は、前記非対称ガイド部において周方向の一部を構成する第１ガイド部と、前記カテーテルハブの前記軸線に対して前記第１ガイド部とは反対側の部分を構成し、前記カテーテルハブの前記軸線に対する傾斜角度が、前記第１ガイド部の前記カテーテルハブの前記軸線に対する傾斜角度よりも小さい第２ガイド部とを有してもよい。
【００１０】
上記の構成によれば、第１ガイド部の傾斜角度が相対的に大きく、これとは反対側の第２ガイド部の傾斜角度が相対的に小さい。従って、先端部を屈曲させたガイドワイヤをカテーテルハブの基端側から挿入する際、相対的に小さい方の第２ガイド部にガイドワイヤの先端部を接触させることで、ガイドワイヤの先端部とハブ内周面との摩擦抵抗が小さい状態で、ハブ内でガイドワイヤを先端方向にスムーズに移動させることができる。
【００１１】
上記のカテーテルハブにおいて、前記ハブ内腔形成部は、前記カテーテルハブの基端開口部から軸線方向に所定範囲に亘って形成されたテーパを有し、前記テーパの先端に連なって前記非対称ガイド部が形成されてもよい。
【００１２】
上記の構成によれば、先端部を屈曲させたガイドワイヤをカテーテルハブの基端側から挿入する際、ガイドワイヤの先端部がテーパを越えた時点で非対称ガイド部内へ到達するため、ガイドワイヤの挿入開始後、比較的早い段階でガイドワイヤの先端部とハブ内周面との摩擦抵抗を抑制でき、ガイドワイヤの挿入操作を一層効果的に行うことができる。
【００１３】
上記のカテーテルハブにおいて、前記ハブ内腔形成部は、前記カテーテルハブの基端開口部から軸線方向に所定範囲に亘って形成されたテーパと、前記テーパよりも先端側に形成された中間テーパ部とを有し、前記非対称ガイド部は、前記中間テーパ部を介して、前記テーパよりも先端側に設けられてもよい。
【００１４】
上記の構成によれば、手元側からのガイドワイヤの押し込み力が伝わりにくくなるハブ内腔形成部の先端側で、ガイドワイヤの先端部とハブ内周面との摩擦抵抗を効果的に抑制できる。
【発明の効果】
【００１５】
本発明のカテーテルハブによれば、先端が屈曲したガイドワイヤをカテーテルのハブの基端開口部から挿入する際に、ハブに対するガイドワイヤの先端部の移動抵抗を低減することにより、ガイドワイヤの先端をカテーテルのシャフトの内腔へとスムーズに挿入することができる。
【図面の簡単な説明】
【００１６】
【図１】本発明の一実施形態に係るカテーテルハブを備えたカテーテルの一部省略側面図である。
【図２】図１に示したカテーテルハブの一部省略縦断面図である。
【図３】図３Ａは、カテーテルハブの基端側からガイドワイヤを挿入する操作を説明する第１の図であり、図３Ｂは、カテーテルハブの基端側からガイドワイヤを挿入する操作を説明する第２の図である。
【図４】本発明の変形例に係るカテーテルハブの一部省略縦断面図である。
【図５】図５Ａは、図４に示したカテーテルハブの作用を説明する図であり、図５Ｂは、図４に示したカテーテルハブの作用を説明する別の図である。
【発明を実施するための形態】
【００１７】
以下、本発明に係るカテーテルハブについて好適な実施形態を挙げ、添付の図面を参照しながら説明する。
【００１８】
図１は、本発明の一実施形態に係るカテーテルハブ１４（以下、「ハブ１４」と呼ぶ）を備えたカテーテル１０の一部省略側面図である。カテーテル１０は、血管内や体腔内に挿入して先端を目的部位まで到達させ、治療用の薬剤注入や診断用の造影剤注入を行うために使用される。図１に示すように、カテーテル１０は、細径で長尺なシャフト１２と、シャフト１２の基端に接続されたハブ１４と、シャフト１２のハブ１４への接続部に設けられたストレインリリーフ１６とを備える。
【００１９】
シャフト１２は、血管等の生体管腔内に挿入されるカテーテル本体を構成するものであって、先端から基端まで連通する内腔１３（図２も参照）が形成された可撓性を有する長尺で細径のチューブ状部材である。シャフト１２の長さは、例えば、５００ｍｍ〜２０００ｍｍ程度、好ましくは、１０００ｍｍ〜１５００ｍｍ程度である。
【００２０】
シャフト１２の外径は、例えば０．３ｍｍ〜３ｍｍ程度、好ましくは、０．４ｍｍ〜２ｍｍ程度である。シャフト１２の内径は、例えば、０．２ｍｍ〜２．５ｍｍ程度、好ましくは、０．３ｍｍ〜１．８ｍｍ程度である。シャフト１２の外径及び内径は、先端側にいくほど小さくなってもよい。シャフト１２の最先端部はテーパを有していてもよい。
【００２１】
シャフト１２の最先端部近傍の外周面には、Ｘ線不透過マーカ（造影マーカ）１８が固着されている。Ｘ線不透過マーカ１８は、金あるいは白金等からなるＸ線（放射線）不透過性を有する材質によって形成されることにより、生体内でカテーテル１０の先端位置をＸ線造影下で視認するためのものである。
【００２２】
ハブ１４は、その先端にてシャフト１２の基端を保持する中空構造の部材であり、基端にはシリンジ等の他の器具が接続可能となっている。ハブ１４は、例えば、ポリカーボネート、ポリエチレン、ポリプロピレン等の硬質の樹脂等により構成され得る。本実施形態では、ハブ１４は、透明性を有する材料（ポリカーボネート等）により構成される。これにより、ガイドワイヤ４６（図３Ａ等参照）等を挿通させる際に、ハブ１４内のガイドワイヤ４６の端部の存在を確認することができ、好適である。
【００２３】
ストレインリリーフ１６は、シャフト１２のハブ１４への接続部での屈曲（キンク）を防止するためのものであり、例えば先細りのチューブ状に形成された適度の可撓性及び剛性を有する樹脂製の部材である。ストレインリリーフ１６は、シャフト１２の構成材料と同様の材料で構成され得る。
【００２４】
次に、ハブ１４の具体的な構成を説明する。図２は、ハブ１４の一部省略縦断面図である。図２に示すように、ハブ１４は、中空状の胴体部２０と、胴体部２０の外側面から突出した複数（図示例では、２つ）の羽根部２２とから構成される。胴体部２０は、シャフト１２の内腔１３と連通するハブ内腔２４を形成する内周部３４（以下、「ハブ内腔形成部３４」と呼ぶ）と、ハブ１４の基端に設けられた基端開口部２６とを有する。
【００２５】
また、ハブ１４における先端側には、円筒状内面を有するシャフト保持部２８が設けられる。シャフト保持部２８には、シャフト１２の基端部３２が保持及び固定されている。シャフト保持部２８よりも基端側には、シャフト保持部２８に対して縮径した段差部３０を介して、ハブ内腔形成部３４が設けられている。
【００２６】
シャフト１２の内腔１３を形成する内周部３６の基端側の内径は、ハブ内腔形成部３４の先端部の内径よりも大きく、この内径差により、段差部３０が形成されている。段差部３０にシャフト１２の基端部３２が接触している。
【００２７】
本実施形態では、ハブ１４とシャフト１２とは別個に製作されたものであり、当該ハブ１４の先端（シャフト保持部２８）にシャフト１２の基端部３２が挿入され、接着、熱融着等の適宜の接合手段により接合されている。なお、ハブ１４は、インサート成型によってシャフト１２の後端に設けられてもよい。
【００２８】
図２に示すように、ハブ内腔形成部３４は、ハブ１４の軸線ａ方向の少なくとも一部において、先端方向に向かって内径が減少し且つハブ１４の軸線ａに対して傾斜した軸線ｂを有する非対称ガイド部３８を有する。本実施形態において、具体的には、ハブ内腔形成部３４は、ハブ１４の基端開口部２６から軸線ａ方向に所定範囲（長さＬ１）に亘って形成されたテーパ４０と、このテーパ４０の先端から連なる上記の非対称ガイド部３８とを有する。
【００２９】
テーパ４０は、先端部４７を屈曲させたガイドワイヤ４６（図３Ａ等参照）をハブ１４の基端側から挿入する際、先端方向に向かって縮径する内周面によって、ガイドワイヤ４６の先端部４７（図３Ａ等参照）をハブ１４の中心側に誘導しつつ、当該先端部４７を直線状に戻す方向に誘導する。テーパ４０の軸線ａに沿った長さＬ１は、例えば、１０ｍｍ〜４０ｍｍ程度、好ましくは、２０ｍｍ〜３５ｍｍ程度である。軸線ａに対するテーパ４０の傾斜角度は、３°である。
【００３０】
非対称ガイド部３８は、先端部４７を屈曲させたガイドワイヤ４６をハブ１４の基端側から挿入する際に、テーパ４０からガイドワイヤ４６の先端部４７を受け入れて、当該先端部４７をさらに直線状に戻す方向に誘導するとともに、当該先端部４７をシャフト１２の内腔１３へと案内する部分である。非対称ガイド部３８は、ハブ１４の外観からその位置が認識できるように、羽根部２２に対して所定の位置及び方向で設けることができる。
【００３１】
非対称ガイド部３８の軸線ａ方向に沿った長さＬ２は、例えば、５ｍｍ〜１５ｍｍ程度、好ましくは、５ｍｍ〜１０ｍｍ程度である。長さＬ２は、長さＬ１よりも長くても短くてもよい。
【００３２】
本実施形態において、非対称ガイド部３８は、軸線ａに対する傾斜角度が相対的に大きい急テーパとして構成された第１ガイド部４２と、軸線ａに対する傾斜角度が相対的に小さい緩テーパとして構成された第２ガイド部４４とを有する。具体的には、第１ガイド部４２は、非対称ガイド部３８における周方向の一部（図２で、上側部分）を構成する部分であり、第２ガイド部４４は、軸線ａに対して第１ガイド部４２とは反対側の部分（図２で、下側部分）を構成し、ハブ１４の軸線ａに対する傾斜角度が、第１ガイド部４２のハブ１４の軸線ａに対する傾斜角度よりも小さい。
【００３３】
軸線ａに対する第１ガイド部４２の傾斜角度は、軸線ａに対するテーパ４０の傾斜角度と同じでもよく、異なっていてもよい。第１ガイド部４２の軸線ａに対する傾斜角度は、例えば、５°〜１５°程度、好ましくは、５°〜１０°程度である。
【００３４】
軸線ａに対する第２ガイド部４４の傾斜角度は、軸線ａに対するテーパ４０の傾斜角度と同じでもよく、異なっていてもよい。第２ガイド部４４の軸線ａに対する傾斜角度は、例えば、０°〜１０°程度、好ましくは、０°〜５°程度である。
【００３５】
本実施形態に係るハブ１４を備えたカテーテル１０は、基本的には以上のように構成されるものであり、以下、主として図３Ａ〜図３Ｃを参照し、ハブ１４を備えたカテーテル１０の作用及び効果について説明する。本例では、先端部４７を屈曲させたガイドワイヤ４６をハブ１４の基端側（基端開口部２６）から挿入する操作について説明する。図３Ａ〜図３Ｃにおいて、ガイドワイヤ４６の先端部４７は、２つの屈曲部４８、４９を有するように曲げられているが、本発明は屈曲部が１つだけの場合にも適用可能である。ガイドワイヤ４６の最先端部５０は丸く形成されている。
【００３６】
図３Ａに示すように、先端部４７を屈曲させたガイドワイヤ４６をハブ１４の基端側から挿入する。このとき、図３Ａの例では、周方向に関して、非対称ガイド部３８の第１ガイド部４２（急テーパ）に対応する側にガイドワイヤ４６の屈曲部４９を当接させ、第２ガイド部４４（緩テーパ）に対応する側にガイドワイヤ４６の最先端部５０を当接させる。
【００３７】
そして、ガイドワイヤ４６とハブ１４との、上記のような周方向の位置関係を維持した状態で、さらにガイドワイヤ４６をハブ１４に対して先端方向に押し込むと、ガイドワイヤ４６は、最先端部５０及び屈曲部４９とがハブ１４の内周面を摺動しながら、先端方向に移動する。このとき、テーパ４０の傾斜の作用により、ガイドワイヤ４６がハブ１４の軸線ａ側に案内されつつ、ガイドワイヤ４６の先端部４７が直線状に戻る方向に誘導されていく。
【００３８】
図３Ｂに示すように、ガイドワイヤ４６の最先端部５０が、テーパ４０と非対称ガイド部３８との境界を越えて、非対称ガイド部３８に到達すると、ガイドワイヤ４６の最先端部５０が非対称ガイド部３８の第２ガイド部４４によってハブ１４の軸線ａ側にさらに押されることにより、ガイドワイヤ４６の屈曲した先端部４７は、直線状に戻る方向にさらに誘導される。すなわち、ガイドワイヤ４６の先端方向への移動に伴って、第２ガイド部４４の傾斜の作用により、ガイドワイヤ４６の先端部４７の屈曲角度がさらに小さくなる。
【００３９】
この場合、本実施形態では、第２ガイド部４４は、軸線ａに対して傾斜角度が小さい緩テーパとして構成されているため、ガイドワイヤ４６の最先端部５０とハブ１４の内周面との接触角度が小さい。従って、第２ガイド部４４では、ガイドワイヤ４６の最先端部５０とハブ１４の内周面との摩擦抵抗（摺動抵抗）が抑制される。
【００４０】
このように、最先端部５０とハブ１４の内周面との摩擦抵抗が小さいと、ガイドワイヤ４６の先端部４７がハブ１４の先端側まで挿入された状態でも、手元側からのガイドワイヤ４６の押し込み力がガイドワイヤ４６の先端部４７まで効果的に伝達されるため、ガイドワイヤ４６の先端部４７が先端方向に移動しやすい。従って、ガイドワイヤ４６の移動がハブ１４の内周面によって阻止されることがないため、図３Ｂの状態からさらにガイドワイヤ４６をハブ１４に対して先端方向に押し込むことにより、図３Ｃに示すように、ガイドワイヤ４６の先端部４７をシャフト１２内へとスムーズに挿入することができる。
【００４１】
なお、上記の説明とは逆に、図３Ｂの仮想線で示すように、先端部４７を屈曲させたガイドワイヤ４６をハブ１４の基端側から挿入する際に、非対称ガイド部３８の第１ガイド部４２（急テーパ）側にガイドワイヤ４６の最先端部５０を当接させ、第２ガイド部４４（緩テーパ）側にガイドワイヤ４６の屈曲部４９を当接させてもよい。ガイドワイヤ４６とハブ１４との周方向の位置関係をこのようにした場合でも、緩テーパとして構成された第２ガイド部４４にガイドワイヤ４６の屈曲部４９が当接することから、ガイドワイヤ４６の屈曲部４９とハブ１４の内周面との接触角度が小さい。
【００４２】
従って、第２ガイド部４４では、ガイドワイヤ４６の屈曲部４９とハブ１４の内周面との摩擦抵抗（摺動抵抗）が抑制されるため、ガイドワイヤ４６の先端部４７がハブ１４の先端側まで挿入された状態でも、手元側からのガイドワイヤ４６の押し込み力がガイドワイヤ４６の先端部４７まで効果的に伝達されるため、ガイドワイヤ４６の先端部４７が先端方向に移動しやすい。
【００４３】
以上説明したように、本実施形態に係るハブ１４によれば、先端部４７を屈曲させたガイドワイヤ４６をハブ１４の基端側から挿入する際、非対称ガイド部３８のうちハブ１４の軸線ａに対する傾斜角度が小さい部分（第２ガイド部４４）に、ガイドワイヤ４６の先端部４７（最先端部５０又は屈曲部４９）を接触させると、ガイドワイヤ４６の先端部４７とハブ１４の内周面との摩擦抵抗が小さくなり、ガイドワイヤ４６の先端部４７が先端方向に移動しやすくなる。従って、ガイドワイヤ４６の移動がハブ１４の内周面によって阻止されることがなく、ガイドワイヤ４６をシャフト１２内へとスムーズに挿入することができる。
【００４４】
特に、本実施形態の場合、第１ガイド部４２の傾斜角度が相対的に大きく、これとは反対側の第２ガイド部４４の傾斜角度が相対的に小さい。従って、先端部４７を屈曲させたガイドワイヤ４６をハブ１４の基端側から挿入する際、傾斜角度が相対的に小さい方の第２ガイド部４４にガイドワイヤ４６の先端部４７を接触させることで、ガイドワイヤ４６の先端部４７とハブ１４の内周面との摩擦抵抗が小さい状態で、ハブ１４内でガイドワイヤ４６を先端方向にスムーズに移動させることができる。
【００４５】
また、本実施形態の場合、テーパ４０の先端に連なって非対称ガイド部３８が形成されている。この構成によれば、先端部４７を屈曲させたガイドワイヤ４６をハブ１４の基端側から挿入する際、ガイドワイヤ４６の先端部４７がテーパ４０を越えた時点で非対称ガイド部３８内へ到達するため、ガイドワイヤ４６の挿入開始後、比較的早い段階でガイドワイヤ４６の先端部４７とハブ１４の内周面との摩擦抵抗を抑制でき、ガイドワイヤ４６の挿入操作を一層効果的に行うことができる。
【００４６】
図４は、変形例に係るカテーテルハブ１４ａ（以下、「ハブ１４ａ」と呼ぶ）の一部省略縦断面図である。図４に示すように、変形例に係るハブ１４ａにおけるハブ内腔形成部３４ａは、テーパ４０と、当該テーパ４０の先端に連なって形成された中間テーパ部５２と、当該中間テーパ部５２の先端に連なって形成された非対称ガイド部５６とを有する。すなわち、ハブ１４ａでは、非対称ガイド部５６は、中間テーパ部５２を介して、テーパ４０よりも先端側に設けられている。
【００４７】
中間テーパ部５２は、先端部４７を屈曲させたガイドワイヤ４６をハブ１４ａの基端側から挿入する際に、テーパ４０からガイドワイヤ４６の先端部４７を受け入れて、ガイドワイヤ４６の先端部４７をさらに直線状に戻す方向に誘導するとともに、その先端側に形成された非対称ガイド部５６へガイドワイヤ４６の先端部４７を案内する部分である。
【００４８】
中間テーパ部５２の軸線ａ方向に沿った長さＬ３は、例えば、５ｍｍ〜１５ｍｍ程度、好ましくは、５ｍｍ〜１０ｍｍ程度である。長さＬ３は、長さＬ１よりも長くても短くてもよい。中間テーパ部５２の軸線ａに対する傾斜角度は、例えば、５°〜１５°程度、好ましくは、５°〜１０°程度である。
【００４９】
非対称ガイド部５６は、先端部４７を屈曲させたガイドワイヤ４６をハブ１４ａの基端側から挿入する際に、中間テーパ部５２からガイドワイヤ４６の先端部４７を受け入れて、当該先端部４７をさらに直線状に戻す方向に誘導するとともに、当該先端部４７をシャフト１２の内腔１３へと案内する部分である。非対称ガイド部５６は、先端方向に向かって内径が減少し且つハブ１４ａの軸線ａに対して傾斜した軸線ｃを有する。
【００５０】
非対称ガイド部５６の軸線ａ方向に沿った長さＬ４は、例えば、２ｍｍ〜１０ｍｍ程度、好ましくは、２ｍｍ〜５ｍｍ程度である。長さＬ４は、長さＬ３よりも長くても短くてもよい。
【００５１】
非対称ガイド部５６は、軸線ａに対する傾斜角度が相対的に大きい急テーパとして構成された第１ガイド部５８と、軸線ａに対する傾斜角度が相対的に小さい緩テーパとして構成された第２ガイド部６０とを有する。具体的には、第１ガイド部５８は、非対称ガイド部５６における周方向の一部（図４で、上側部分）を構成する部分であり、第２ガイド部６０は、軸線ａに対して第１ガイド部５８とは反対側の部分（図４で、下側部分）を構成し、ハブ１４ａの軸線ａに対する傾斜角度が、第１ガイド部５８のハブ１４ａの軸線ａに対する傾斜角度よりも小さい。図４に示す構成例では、第２ガイド部６０の軸線ａに対する角度は略０°である。
【００５２】
軸線ａに対する第１ガイド部５８の傾斜角度は、軸線ａに対するテーパ４０の傾斜角度と同じでもよく、異なっていてもよい。第１ガイド部５８の軸線ａに対する傾斜角度は、例えば、５°〜１５°度程度、好ましくは、５°〜１０°程度である。
【００５３】
軸線ａに対する第２ガイド部６０の傾斜角度は、軸線ａに対するテーパ４０の傾斜角度と同じでもよく、異なっていてもよい。第２ガイド部６０の軸線ａに対する傾斜角度は、例えば、０°〜１０°度程度、好ましくは、０°〜５°度程度である。
【００５４】
上記のように構成されたハブ１４ａによれば、図２等に示したハブ１４と同様に、非対称ガイド部５６において、ガイドワイヤ４６の先端部４７とハブ１４ａの内周面との摩擦抵抗が小さくなり、ガイドワイヤ４６の先端部４７が先端方向に移動しやすくなる。
【００５５】
すなわち、図５Ａに示すように、先端部４７を屈曲させたガイドワイヤ４６をハブ１４ａの基端側から挿入する際に、非対称ガイド部５６の第１ガイド部５８（急テーパ）側にガイドワイヤ４６の屈曲部４９を当接させ、第２ガイド部６０（緩テーパ）側にガイドワイヤ４６の最先端部５０を当接させると、ガイドワイヤ４６の最先端部５０とハブ１４ａの内周面との接触角度が小さい。これにより、第２ガイド部６０では、ガイドワイヤ４６の最先端部５０とハブ１４ａの内周面との摩擦抵抗（摺動抵抗）が抑制され、ガイドワイヤ４６の先端部４７が先端方向に移動しやすくなる。
【００５６】
図５Ａとは逆に、図５Ｂに示すように、先端部４７を屈曲させたガイドワイヤ４６をハブ１４ａの基端側から挿入する際に、非対称ガイド部５６の第１ガイド部５８（急テーパ）側にガイドワイヤ４６の最先端部５０を当接させ、第２ガイド部６０（緩テーパ）側にガイドワイヤ４６の屈曲部４９を当接させた場合でも、緩テーパとして構成された第２ガイド部６０にガイドワイヤ４６の屈曲部４９が当接することから、ガイドワイヤ４６の屈曲部４９とハブ１４ａの内周面との接触角度が小さい。これにより、第２ガイド部６０では、ガイドワイヤ４６の最先端部５０とハブ１４ａの内周面との摩擦抵抗（摺動抵抗）が抑制され、ガイドワイヤ４６の先端部４７が先端方向に移動しやすくなる。
【００５７】
このように、図５Ａ、図５Ｂのいずれの場合でも、ガイドワイヤ４６の移動がハブ１４ａの内周面によって阻止されることがなく、ガイドワイヤ４６をシャフト１２内へとスムーズに挿入することができる。
【００５８】
また特に、ハブ１４ａでは、ハブ内腔形成部３４ａの先端側に非対称ガイド部５６が設けられるため、手元側からのガイドワイヤ４６の押し込み力が伝わりにくくなるハブ内腔形成部３４ａの先端側で、ガイドワイヤ４６の先端部４７とハブ１４ａの内周面との摩擦抵抗を効果的に抑制できる。
【００５９】
上記において、本発明について好適な実施形態を挙げて説明したが、本発明は前記実施形態に限定されるものではなく、本発明の要旨を逸脱しない範囲において、種々の改変が可能なことは言うまでもない。
【符号の説明】
【００６０】
１０…カテーテル                  １２…シャフト
１４、１４ａ…カテーテルハブ      ２４…ハブ内腔
２６…基端開口部                  ３０…段差部
３４、３４ａ…ハブ内腔形成部      ３８、５６…非対称ガイド部
４０…テーパ                      ４２、５８…第１ガイド部
４４、６０…第２ガイド部          ５２…中間テーパ部
【図１】
2014128353.tif 000003
【図２】
2014128353.tif 000004
【図３】
2014128353.tif 000005
【図４】
2014128353.tif 000006
【図５】
2014128353.tif 000007